Podtech/llm-jp-corpus-v4-ja_patent huggingface dataset:
(57)【要約】【課題】通常の衛生マスクの中に、目と肌の保護機能を組み込んで収納された透明シートのアイカバー付き衛生マスクを提供する。【解決手段】マスク〈１〉に透明シート〈２〉を固定し、透明シート〈２〉にストッパー〈３〉〈３〉とシール部〈４〉〈４〉を設けたことを特徴とする。【選択図】  図１
2005319264.tif 000002
【特許請求の範囲】
【請求項１】
マスク〈１〉に透明シート〈２〉を固定し、透明シート〈２〉にストッパー〈３〉〈３〉とシール部〈４〉〈４〉を設けて、マスク〈１〉に収納してなるアイカバー付き衛生マスク。
【発明の詳細な説明】
【技術分野】
【０００１】  この発明は、通常の衛生マスクの中に、目と肌の保護機能を組み込んで収納された透明シートのアイカバー付き衛生マスクに関するものである。
【背景技術】
【０００２】  特許公開２００１−２３８９０７号の開示したものが表すように、マスクには、多種多様な発明、考案がなされている。いずれも健康に良いもの、体に良いもの、美容に良いものが、提供されている。しかし、日常生活のなかで、浴室のカビ取り剤や窓ガラス洗剤、ガーデニングブームでの殺虫剤などを使用する状況は多々ある。それらを使用するときに目、鼻、口に薬剤が入らない様に、肌にかからないように、透明シートのアイマスクが一体化された簡易マスクは必要である。また、外出時にコンパクトに折り畳んでバックやポケットに携帯でき、非常時に視界を確保しながら逃げることも可能となるマスク、そのとき簡単に着脱できるマスクが求められる。
【発明の開示】
【発明が解決しようとする課題】
【０００３】  これは次のような欠点があった。
薬剤などを使用するときに、衛生マスクに透明シートのアイカバーが一体化された簡易マスクがないため、粉や液の飛散などから身を守るため、目を細めて使用することも多い。また衛生マスクとゴーグル等を併用したりして身を守っていた。普通の衛生マスクとしても使用できるものでありながら、必要な時にサッと簡単にアイカバー機能も得られ、しかも視界を充分確保できるマスクがなかった。
本発明は、以上の欠点を解決するためになされたものである。
【課題を解決するための手段】
【０００４】  マスク〈１〉の長辺に柔軟性と伸性のある透明シート〈２〉の長辺を固定する。そして透明シート〈２〉の端には柔軟なストッパー〈３〉〈３〉を設け、透明シート〈２〉の短辺の端に粘着テープ付きシール部〈４〉〈４〉を設ける。それをマスク〈１〉の中に収納し、上に被せ布〈５〉をかるく止めて取り出し口〈６〉を設ける。
本発明は、以上の構成よりなるアイカバー付き衛生マスクである。
【発明の効果】
【０００５】  本発明を使用することにより、薬剤が飛び散っても目、鼻、口に入らず、臭いも気にならずに作業ができる。しかも充分な視界が確保できて、着脱が簡単にできる。また、外出時や旅行等にコンパクトに折り畳んで携帯していると、非常事態に対応できる。ハンカチで口や、鼻、目を覆いながらの行動は難しく、透明シートのアイカバー付き衛生マスクを使用することにより手も自由に使えて、早く行動ができてとても便利に役立つものである。また埃掃除のときや、料理のときにも使うことができる。
【発明を実施するための最良の形態】
【０００６】  以下、本発明を実施するための最良の形態について説明する。
〈イ〉マスク〈１〉の長辺の片方に、柔軟性と伸性のあるクリアな透明シート〈２〉の長辺の片方を固定する。
〈ロ〉透明シート〈２〉の長辺の端に柔軟な細棒からなるストッパー〈３〉〈３〉を設ける。
〈ハ〉透明シート〈２〉の短辺の端裏側上部に肌にやさしい粘着テープ付きシール部〈４〉〈４〉を設ける。
〈ニ〉透明シート〈２〉は、外側からストッパー〈３〉を芯として、芯に軽くくっつけたヒモ〈７〉とともに小さく巻いて一方のストッパー〈３〉の上に重置する。
〈ホ〉中央に逆Ｖに切り込みを入れた被せ布〈５〉を、巻いた透明シート〈２〉の上に覆い被せて透明シート〈２〉を収納する。
〈ヘ〉被せ布〈５〉の両端をかるく止めて、巻いた透明シート〈２〉の  取り出し口〈６〉を設ける。
本発明は、以上の構成よりなっている。
これを使用するときは、普通の衛生マスクとして使用する。
また、アイカバーも併用するときは、まず、マスクの取り出し口〈６〉よりヒモ〈７〉をひっぱって透明シート〈２〉を取り出して延ばす。両側の粘着テープ付きシール部〈４〉〈４〉のシールをはがして外側にたおしておき、普通のマスクの様に装着する。そして、透明シートをひきあげて伸ばし、額にあてて左右と上にひっぱり気味にして粘着テープを貼ると肌にそって装着できる。以上であるが、本品は被せ布〈５〉とストッパー〈３〉が丁度鼻の上に位置するため息がかからず、透明シートが曇るのを防ぐ事ができる。
また、柔軟性と伸性があるので上部と両側は肌にほどよく密着するので、粘着テープを少なくすることができ、着脱が簡単となり便利である。
なお、サイズを３種類位作り、不織布などで使い捨てマスクとして広く利用できる。
【図面の簡単な説明】
【０００８】
【図１】本発明の内側の正面図
【図２】本発明の内側の収納完成図
【図３】本発明の実施説明図
【符号の説明】
【０００９】１  マスク
２  透明シート
３  ストッパー
４  シール部
５  被せ布
６  取り出し口
７  ヒモ
８  ゴムヒモ
【図１】
2005319264.tif 000003
【図２】
2005319264.tif 000004
【図３】
2005319264.tif 000005
(57)【要約】      （修正有）【課題】携帯が容易なようにコンパクト化を図り、組立てが迅速にできる足のせ台を提供する。【解決手段】使用後の携帯を組立て収納式にするため、底板に側板状の切り込みを設け、側板が全て嵌合式で収納される。【選択図】図１
2005319268.tif 000002
【特許請求の範囲】
【請求項１】
各部材を立設させて更に介在嵌装させることにより外装を整える構成である。組立式を特徴とする乗物用に於ける安全確保の携帯用足のせ台
【発明の詳細な説明】
【発明の詳細な説明】
【０００１】〔発明の属する技術分野〕
本発明は嵌合組立てを特徴とするものである。より詳細には組立て式にすることによりコンパクトにすることができて持ち運び携帯に容易になり旅行のお共として機内、車内での足の置き所のないための不快感を和わらげリラックスさせることができる足のせ台に関するものである。
【００２】〔従来の背景技術〕
従来いろいろの足のせ台はあった。
【０００３】〔発明が解決しようとする課題〕
旅行用の手荷物は常に多くなりよりコンパクト化（薄形）が必要であった。
【０００４】〔課題を解決するための手段〕
底板台に側板状の切り込みを設け寝かせて嵌入する構成である。
【０００５】〔発明を実施するための最良の形態〕
１、以下本発明の図面について説明すれば図１は足のせ台の完成斜視図である
２、図２は足のせ台底板の斜視図である、両サイドの切り込み口２ヶ所に図３を差し込み完成させる。
３、実施例として木製、ダンボール、合成樹脂等との組み合わせが可能である
【０００６】〔発明の効果〕
狭い空間での長時間の旅行等では従来、床にビニール、雑誌、新聞紙等を広ろげ足をなげだしその場をしのいでいた。クツを脱ぎ少しでも足先を高くすることで自由になり楽になる効果がある。本発明は以上のような構成で長時間乗物内でクツの圧迫感、開放感を得るために必要な小道具を手軽に携帯できるものである。
【図１】
2005319268.tif 000003
【図２】
2005319268.tif 000004
【図３】
2005319268.tif 000005
【手続補正書】
【提出日】平成16年7月28日(2004.7.28)
【手続補正２】
【補正対象書類名】明細書
【補正対象項目名】全文
【補正方法】変更
【補正の内容】
【発明の詳細な説明】
【技術分野】
【０００１】本発明は嵌合組立てを特徴とするものである、より詳細には組立て式にすることによりコンパクトにすることができて持ち運び携帯に容易になり旅行のお共として機内車内での足の置き所のないための不快感を和わらげリラックスさせることができる足のせ台に関するものである。
〔背景技術〕【０００２】従来いろいろの足のせ台はあった。
〔発明が解決しようとする課題〕【０００３】旅行用の手荷持は常に多くなりよりコンパクト化（薄形）が必要であった。
〔課題を解決するための手段〕【０００４】底板台に側板状の切り込みを設け寝かせて嵌入する構成である。
〔発明の効果〕【０００５】狹い空間での長時間の旅行等では従来、床に雑誌新聞紙等を広ろげ足をなげだしその場をしのいでいた、クツを脱ぎ少しでも足先を高くすることで自由になり楽になる効果がある、本発明は以上のような構成で長時間乗物内でクツの圧迫感、開放感を得るための必要な小道具を手軽に携帯できるものである。
〔発明を実施するための最良の形態〕【０００６】１．以下、本発明の図面について説明すれば図１は足のせ台の完成斜視図である。
２．図２は足のせ台底板の斜視図である両サイドの切り込み口２ヶ所に図３を差し込み完成させる。
３．実施例として木製、ダンボール、合成樹脂等との組み合わせが可能である。
【図面の簡単な説明】
【０００７】〔図１〕  組立て式足のせ台の完成斜視図
〔図２〕  底板の斜視図
〔図３〕  側板の斜視図
(57)【要約】      （修正有）【課題】果物・野菜をミキサー使用後のドロドロ状液を水分と繊維質に分ける簡単で安価なステンレス細目網こし器を提供する。【解決手段】  ガラス器１の上部に縁３を設けて、ステンレス細目網こし器２をのせる。縁３とそそぎ口５を平行にすることで、蓋８をした時に網こし器２やステンレス押し器６が、すべてガラス器１に修まる。蓋８を外して、ミキサー４を網こし器２の上に逆さまに置く。ミキサー４後のドロドロ状液は、ステンレス細目網こし器２により、水分と繊維質に分かれる。簡単、便利な方法である。【選択図】図１
2005319267.tif 000002
【特許請求の範囲】
【請求項１】
ガラス器▲１▼の上部に縁を設け、取手付ステンレス網こし器▲２▼を置く。その上に、ミキサー▲４▼を逆さまにして置くと自動的に水分と線維質に分ける。自動ステンレス網こし器▲２▼である。ステンレス丸型押し器▲６▼はさらに水分を押し出す器具である。なお、ガラス器▲１▼の上に置くステンレス網こし器▲２▼の他に刃型を半円形にした野菜カッター調理器がある。例‥おろし器▲１０▼プラスチック製
【発明の詳細な説明】
【発明の詳細な説明】
【０００１】（発明の属する技術分野）この発明はミキサー使用後、ドロドロ状液を自動的に水分と線維質に分けるミキサーこし器に関するものである。
【０００２】（従来の技術）従来は、ミキサー使用後、ガーゼやさらし布袋を使って絞っている。布を洗い乾かしたり、色替りの為、数枚必要とし使用後の作業が面倒で手間がかかる。
【０００３】（発明が解決しようとする課題）これは次のような欠点があった。イ、ガーゼや布袋数枚の用意が必要でありしぼり、洗ったり、天日で乾したり等の手間がかかり面倒でわずらわしかった。ロ、ミキサーしながらこす電動式もあるが高価で小量づつしか作れず電気代や使用後洗ったり等の手間がかかりコスト高となる。
【０００４】（課題を解決するための手段）ガラス器▲１▼の上部に縁▲３▼を設け、ステンレス細目網こし器▲２▼を置く。その上にミキサー▲４▼を逆さまにして自動的に水分と線維質に分けるようにした。ステンレス丸型押し器▲６▼はさらに水分を押し出すために付属している。本発明は以上の構成によりなるミキサーステンレス細目網こし器である。
【０００５】（発明の実施の形態）以下、本発明の形態を説明する。イ、ガラス器▲１▼の上部にガラス縁▲３▼を設ける。ロ、ステンレス細目網こし器▲２▼をその上にのせる。ガラス器▲１▼のそそぎ口▲５▼と縁▲３▼の高さは平行にし網こし器▲２▼を置いた時、取手▲７▼がそそぎ口▲５▼から出るように置く。縁▲３▼とそそぎ口▲５▼を平行にすることで蓋▲８▼をした時に網こし器▲２▼やステンレス押し器▲６▼がすべてガラス器▲１▼に修まる。ハ、ミキサー▲４▼を網こし器▲２▼の上に逆さまに置くとミキサー▲４▼後のドロドロ状液は自動的に水分と線維質に分かれる。線維質はこし器▲２▼を裏返しにすると、破がれるようにきれいにさっと取れる。ニ、ステンレス丸型押し器▲６▼はまがりをつけた細長の半円型でそそぎ口▲５▼から取手▲９▼が出る作りで水分をさらに絞り出す時やミキサー▲４▼の刃の底部に入りこむドロドロ状液をかき出す時に使用する。本発明は以上の構成によりなっている。
【０００６】（発明の効果）本発明を使用する事によって、ガーゼやさらし布袋を用意し絞ったり洗い、乾わかす等のめんどうな手間やわずらわしさが解決される。さらに網こし器を裏返すと線維質が残らず破がれ落ちるように取れ料理やお菓子作りに利用できるうえ、使用後は水でさっとすすぐだけの簡単・スピーディ・コストもかからず非常に便利である。健康に気使う人や乳幼児の離乳食・おやつ等のジュース・青汁・豆乳作りにかかせないものとなる。また請求項Ｉのガラス器に円型野菜カッター調理器を置くとガラス器の重さで器具が動かず安定し、力を入れずに野菜のスライスができる。調理器具例題の丸型おろし器は網こし器の上からすりおろすと水分だけ網の下におち、すりおろしながら自動的に水切りできる便利な網こし器である。本発明を利用するとこし器のきのうと調理器のきのう合わせ持たせた便利な調理器具となり料理作りの不満が解決できる。
【図面の簡単な説明】
【図１】本発明の正面図である。図１はガラス器にミキサーを逆さまにした図面図２はガラス器に網こし器をのせた図面
【図２】本発明の平面図である。図１はガラス器の縁の図面図２はガラス器に網こし器をのせた図
【図３】本発明の付属器具の側面図である。図１はステンレス網こし器図２はステンレス丸型押器図３はプラスチック蓋図４は丸型プラスチックおろし器
【符号の説明】
▲１▼ガラス器▲２▼テスンレス細目網こし器▲３▼ガラス器縁▲４▼ミキサー▲５▼ガラス器そそぎ口▲６▼ステンレス丸型押し器▲７▼ステンレス網こし器取手▲８▼ガラス器プラスチック蓋▲９▼ステンレス丸型押し器取手▲１０▼丸型プラスチックおろし器
【図１】
2005319267.tif 000003
【図２】
2005319267.tif 000004
【図３】
2005319267.tif 000005
(57)【要約】      （修正有）【課題】災害等で、通常トイレが使用できない場合において、人目に触れる事なく衣服の下げおろしが出来、速やかに用を足すことが出来る簡易で折畳みができる携帯トイレの提供。【解決手段】下半身部には、裾部の折曲げ部につづく足踏み台及び、前後をベルトで取り外づしも出来る便器（折畳み又はビニール）と、上半身部は、背面部を覆う背当て部１，と、首にかけるわ状のヒモ帯４をもつて構成し、非常時に当つては、まず、折畳みの本体部を地上に置いて開き、足を踏台に乗せ、トイレスカート１を上に引き上げ、首部に紐帯４をかけたら両脇を嵌合し、ウエスト両脇のポケット口から両手を差し込んで、パンティ等をひざ下までおろし折畳み容器にビニールをかけて使用する。ペーパーやぬれティシュは、内側のポケットから取出し使用する。【選択図】図２
2005319266.tif 000002
【特許請求の範囲】
【請求項１】
非常時その他において、各自が携帯できる折畳等の簡易トイレで、スカート又は、筒状等の内部に、折畳みその他の便器や、ビニール袋を内蔵し、底部周縁に足（靴）踏み部を設け、内部周縁にペーパー入れ等のポケツト部を設け、ウエスト両端より両手を挿入、パンティ等を外部から見えない処でおろす事が出来る事を主眼とし、ウエスト部の余剰部は、即座にマヂックテープ等で、繁留し、スカート背面部は、肩まで延長し、わ状のヒモ帯を取りつけ、首部にくぐらせてスカート部を安定するようにしたもので、折畳み等の便器は、本体と取外づし、自由の様に繁留はしているが、地上に直接おいて人目を気にせず、用を足すことのできるトイレ。
【発明の詳細な説明】
【０００１】本発明のトイレは、野外等にて便意を催した場合、衣服をおろす処など人目にふれないでとの見地から、まず身体の周囲を覆うものが必要になる。
材質は、加工紙又は、不織布等を加工したもの、折畳みもでき且つ、経量でなければならない。しかし使用中、身体を完全に覆えて、しかも容易に倒れないよう停立しなければならない。
筒状のものは、携帯できにくいが、折畳みが効く様にすれば、可能であるので一定の型に折畳んで不時の災害等に備えおく事もできる。
加工紙等で製作する場合、材質が柔い場合は倒れないように、下半身のみ地厚、たとえば下張り等にする事もできる。
構造としては、エプロン型であるが、前後は、通常のエプロンとは反対となるように背面を延長し、輪状の首ヒモを取りつけ、後から首にかけるようにする。
使用時は、まず、折畳んだトイレを地上におき、トイレをひらいて両足を靴ふみ部の上にのせてから、トイレスカート（仮称とする）なるものを上に持ち上げる。
後身の首のひもを首にかける。
安定したところで、両脇のマヂックテープを合せ、ウエストを定定、次に両手を両脇のポケットから差入れ、ズボンやパンティ等を、ヒザ下までおろし、トイレスカートの背面から、帯体でつないだ折畳みの容器を前面に引き出し、急ぐ時は、そのまま用を足す。
多少時間に余裕ある時は、前部の引掛部に背後からの連絡紐を引っかけカギ等で連絡して用を足せばさらに安定する。
便器は、地上に直接おく様になるので、用が済んだら身体からトイレスカートを全部脱いでから、自分の便の仕末はできる。
不潔にしなければ再度使用できるので、折畳んでおく、ビニール袋は始末する。トイレスカートの内壁には、小ポケットを設け、ここにぬれティシュや、ペーパーを入れておく。
〔背景技術〕
【０００２】〔特許文献１〕
〔特許文献２〕
〔非特許文献１〕
〔非特許文献２〕
昔、私が出願して売出した事のあるビニール袋の底、中央を結索し水を入れても安定してこぼれない構造の袋を、こん便器に利用できればと思っているが、如何なものであらう。
〔発明が解決しようとする課題〕
【０００３】車で旅行に出た場合、渋滞等に会うと、トイレの事が非常に気になる。
今は、車中で使える便利な商品が出来てはいるが、小水の場合は解決しても、まず、衣類を下げなければならない事である。
周囲に対して臭気等を気づかわなくてはならない事など、車内だけでも、いろいろ多い。
ましてや、地震等の災害時においては、トイレがない場合、あっても混み合う場合など、特に女性は、苦痛が多い。
本発明は、スカート状本体の裾部は、折返し部で安定させ、即ち重くさせ、足のせ部が設けてあるので、外部から裾部を持ち上げ様としても持ち上がらず、その心配は全くない。
前身は、自身で守れるが背面は、首の輪で安定し、ウエスト部は、マヂック等で調節するので、安心である。
内部の折畳み等のトイレは、上にかぶせたビニール袋を、取りかえれば再三、使用でき、使い捨てたとしても、大した費用はかヽらない。
〔課題を解決するための手段〕
【０００４】内部にとりつけた折畳みのトイレであるが、トイレ内部になるべく大きいビニール袋を被ぶせて周囲を汚さないようにする事である。
〔発明の効果〕
【０００５】災害時ばかりでなく、多くの人の集る場所などでトイレの数が少なく困った場合に備え付け用にしたり、又、販売する事も可能である。
〔発明を実施するための最良の形態〕
【０００６】この発明は、災害用のトイレと、車内用のトイレ、海浜又は野外キヤンプ等のトイレに使用できるので、災害用は公用としては、うす手のダンボール等で製作してもよく、車内用はトイレスカートと便器とビニール袋を用意すれば一応用は足りるので簡単になる。
〔実施例〕
【０００７】大中小の製作もよいが、購入したら、各自、首廻りの紐の長さを検討し、即、使用出来る様にしておく事も必要である。首部にも、マヂックテープをつけておけば身体に合うよう調節できる。
〔産業上の利用可能性〕
【０００８】大いに利用できる。全部折畳み出来るから、かさばらず、野外等に持参したり、防災用品として揃えたり、区内又は町内等で、設備して不時の災害にそなえることも安心であるから、産業上の利用大である。
【図面の簡単な説明】
【０００９】（〔図１〕）本発明の下半身部のみの正面図。
（〔図２〕）本発明の背面図。
（〔図３〕）本発明の両側面図。
（〔図４〕）本発明の底面図Ａ。
（〔図５〕）本発明の底面図Ｂ。
（〔図６〕）本発明の平面図。
【符合の説明】
【００１０】〔図１〕本発明の正面図１は下半身部
２は裾部折返しのわ部
３はポケット部で手をさしこみ下着をおろす。
３，は余剰分で、前後分を内部へ前後に折り畳み、マヂックで総合する。
〔図２〕本発明の背面図、１の下半身部
１，の背面部
４の首部に掛けるヒモ体
〔図３〕本発明の両側面図、１のスカート部と１，の背面図
４の首通し紐帯、体部
〔図４〕〜Ａ本発明の底面図Ａ、外側点線部２は、裾にて内部への折返し線で、裾部の安定を計る。
ロは折畳んだ裾部に延長して、取り付けたやや硬い質の足乗せ部。
〔図５〕〜Ｂ、本発明の底面図で、（ロ）の足乗せ部と（ホ）の折畳み便器と、それをつなぐ（ニ）のヒモ体である。
〔図６〕本発明の平面図、３，は、脇の前後を斜めに折返し、マヂックで嵌合し、下は、ポケット（ロ）とするところの平面図。
【図１】
2005319266.tif 000003
【図２】
2005319266.tif 000004
【図３】
2005319266.tif 000005
【図４】
2005319266.tif 000006
【図５】
2005319266.tif 000007
【図６】
2005319266.tif 000008
(57)【要約】【課題】    従来、ペン先は１つしか出なかった。  本発明の複数ペン先式筆記具はひとつのハウジングから同時に複数のペン先を出すことで今までにないような色彩の表現や強調方法が楽しめるようにすることを課題とする。【解決手段】    本体上部ハウジング１にペン部５を設けたペン押し出し部３を複数設け、本体上部ハウジング１の先端中央にペン戻し部４を設け、本体下部ハウジング２にペン部５の数と同数のペン先の穴を有するペン先誘導部１１を設けたことを特徴とする。【選択図】  図１
2005319766.tif 000002
【特許請求の範囲】
【請求項１】
本体上部ハウジング１にペン部５を設けた複数のぺン押し出し部３とペン戻し部４を設け、本体下部ハウジング２にペン部５と同数のペン先の穴を有するペン先誘導部１１を設けたことを特徴とする複数ペン先式筆記具。
【発明の詳細な説明】
【技術分野】
【０００１】  本発明は、複数のペン先を有する筆記具の技術に関するものである。
【背景技術】
【０００２】  従来、ペン先は１つしか出なかった。
【発明の開示】
【発明が解決しようとする課題】
【０００３】  しかしこれには、次のような欠点があった。
（イ）  単線である為、表現に限界があった。
（ロ）  強調したい部分をアンダーラインなど別の方法で書き足さないといけなかった。
【課題を解決するための手段】
【０００４】  本体上部ハウジング１にペン部５を設けたペン押し出し部３を複数設け、本体上部ハウジング１の先端中央にペン戻し部４を設け、本体下部ハウジング２にペン部５の数と同数のペン先の穴を有するペン先誘導部１１を設ける。
本発明は、以上のような構成よりなる複数ペン先式筆記具である。
【発明の効果】
【０００５】  本発明の複数ペン先式筆記具は同時に複数のペン先を出すことが出来るので今までにないような色彩の表現や強調方法が楽しめる。  またペン先は一本でも使えるので、強調したい部分だけを複数ペン先にすることで、文章を書いた後にアンダーラインやラインマーカーなどで強調を補足する必要がない。
【発明を実施するための最良の形態】
【０００６】  この発明の一実施形態を図１に示す。
（イ）  本体上部ハウジング１の上部側面にＡ型バネ部７を有するペン押し出し部３を      ２個以上設ける。
（ロ）  それぞれのペン押し出し部３に対応する固定部６を本体上部ハウジング１に設      ける。
（ハ）  それぞれのペン押し出し部３にはＢ型バネ部８を有するペン部５を設ける。
（ニ）  本体上部ハウジング１の先端部中心にＣ型バネ部９を有するペン戻し部４を設      ける。
（ホ）  本体上部ハウジング１の下部にバネ受け部１０を設ける。
（ヘ）  本体下部ハウジング２の先端にペン部５の数と同数のペン先の穴を有するペン      先誘導部１１を設ける。
（ト）  本体上部ハウジングｌと本体下部ハウジング２はねじ部１２で固定する。
本発明は以上のような形態で、使用する時はペン押し出し部３を固定部６で固定されるまで指で押し下げる。  ペン部５は１本から使用可能ではあるが、通常は２本以上押し出して使用する。  Ｂ型バネ部８の作用により傾けて書いても常に複数のペン先が紙に接地している状態になる。  ペン部５を収納する時はペン戻し部４を押すことで固定部６に留まっているペン押し出し部３を解除しＡ型バネ部７の作用によってペン押し出し部３が押し戻され、ペン部５が本体下部ハウジング部２の内部に戻る。  説明図〔図１〕ではペン部５が最小の２本で描いてあるが、ペン部５は３本以上でもよい。
尚、このペン部５は使い捨て型がよく、色彩豊かな交換用ペン部５を用意して任意の色を組み合わせる事が出来るようにする。  ペンの色を確認できるように本体上部ハウジング１と本体下部ハウジング２は無色透明である方が良い。
【図面の簡単な説明】
【０００７】
【図１】本発明の全体を表す説明図である。
【図２】本発明をペン先の先端から見た説明図である。
【図３】本発明のＢ型バネ部８の拡大説明図である。
【符号の説明】
【０００８】１  本体上部ハウジング
２  本体下部ハウジング
３  ペン押し出し部
４  ペン戻し部
５  ペン部
６  固定部
７  Ａ型バネ部
８  Ｂ型バネ部
９  Ｃ型バネ部
１０バネ受け部
１１ペン先誘導部
１２ねじ部
【図１】
2005319766.tif 000003
【図２】
2005319766.tif 000004
【図３】
2005319766.tif 000005
(57)【要約】【目的】  本発明では、簡単な構成で水を作業機の作動部へ吹き付けることが出来るようにすることを課題とする。【構成】  本発明では、コンプレッサー１から吐出される圧縮空気で作業機２を駆動しその作業機２の作動部に水を噴射する圧縮空気作業機において、駆動用圧縮空気配管３から水配管４へ分岐管５を配管し、この分岐管５を流れる圧縮空気を作業機２の作動部へ噴射しその力で水タンク６の水を吸引し作業機２先端の作動部へ空気と共に噴射する構成にした。【選択図】        図１
2005319770.tif 000002
【特許請求の範囲】
【請求項１】
コンプレッサー（１）から吐出される圧縮空気で作業機（２）を駆動しその作業機（２）の作動部に水を噴射する圧縮空気作業機において、駆動用圧縮空気配管（３）から水配管（４）へ分岐管（５）を配管し、この分岐管（５）を流れる圧縮空気を作業機（２）の作動部へ噴射しその力で水タンク（６）の水を吸引し作業機（２）先端の作動部へ空気と共に噴射するようにしたことを特徴とする圧縮空気作業機。
【発明の詳細な説明】
【技術分野】
【０００１】  本発明は、コンプレッサーからの圧縮空気で駆動するカッターやドリル或いは削岩機等の圧縮空気作業機に関する。
【背景技術】
【０００２】  岩石やコンクリート壁或いは道路等を加工するカッターやドリル或いは削岩機は、加工作業時に細かい岩やコンクリートからなる粉塵が多く生じる。
この粉塵は、作業箇所を見え難くするだけでなく作業者の健康を損ねるので、なるべく少なくする必要がある。この為に例えば実公平４−４６８９４号に記載のごとく粉塵を吸引するようにしたものや特開２００２−８１０１６号に記載のごとく泡状発泡液を作動部へ吹き付けて粉塵の発生を無くするようにしたものがある。
【発明の開示】
【発明が解決しようとする課題】
【０００３】  前記の粉塵を吸引するようにしたものでは吸引しきれない粉塵が残り完全な除去が出来ない。また、泡状液体や水などを作業機の作動部へ吹き付けるものは粉塵の発生を効果的に防止出来るが、作業機の駆動用圧縮空気とは別に液体や水を送るためのポンプが必要である。【０００４】  そこで、本発明では、液体を圧送するポンプが必要のない簡単な構成でありながら水などの液体を作業機の作動部へ効果的に吹き付けることが出来るようにすることを課題とする。
【課題を解決するための手段】
【０００５】  本発明では、コンプレッサー１から吐出される圧縮空気で作業機２を駆動しその作業機２の作動部に水を噴射する圧縮空気作業機において、駆動用圧縮空気配管３から水配管４へ分岐管５を配管し、この分岐管５を流れる圧縮空気を作業機２の作動部へ噴射しその力で水タンク６の水を吸引し作業機２先端の作動部へ空気と共に噴射する構成にした。
【発明の効果】
【０００６】  本発明は、作業機２を駆動する圧縮空気の一部を水配管４に送って作業機２先端の作動部へ噴射することで水タンク６の水が吸い上げられ、空気と共に作業機２の先端作業部へ霧状に噴射されることになる。【０００７】  霧状の水が粉塵の舞い上がりを防いで加工場所を見え易くすると共に衛生的な作業環境を作り出すことになる。
また、水を水タンク６から吸い上げて送るためのポンプが不要になり、装置全体のコストダウンになる。
【実施例】
【０００８】  次に、図面を参照しながら本発明の一実施例を説明する。
この実施例は、圧縮空気作業機２としてエアーカッターを用いているが、削岩機やドリルにも応用可能である。
エアーカッター２は、コンプレッサー１に繋いだ駆動用圧縮空気配管３にバルブ７を介して連結している。エアーモータ８で駆動される円盤刃１１を円弧状に覆うカバー９の内部に円盤刃１１の先端に向けてノズル１２を設けている。ノズル１２には水タンク６へ繋いだ水配管４を連結している。
前記駆動用圧縮空気配管３の一部から水配管４に向けてバルブ１４を介して分岐管５を連結している。
２０は作業用の取手で、作業者はこの取手２０と本体部２１を持って作業を行う。【０００９】  バルブ７を開閉することでエアーモータ８の駆動を断続する。駆動用圧縮空気配管７の圧縮空気は分岐管４を通って水配管４へ送られるので、バルブ１４を開くと圧縮空気が水を霧状にしてノズル１２から円盤刃１１の先端に向けて噴射することになる。【００１０】  図３は、トンネルの天井等の高い位置を加工する場合に、人手による持ち上げを楽にするために使う支持台１５にエアーカッター２を取り付けた状態を示す。
地面に置く基台１６に立設した支持脚１７の上端に支持腕１８を屈曲可能に連結しダンパー１９で支持腕１８を伸ばすように付勢していて、支持腕１８の先端に取り付けたエアーカッター２を保持し、エアーカッター２を軽くして作業者が扱いやすくする。
【図面の簡単な説明】
【００１１】
【００１１】
【図１】本発明実施例の平面図である。
【図２】本発明実施例の正面図である。
【図３】本発明実施例の使用状態を示す側面図である。
【符号の説明】
【００１２】１    コンプレッサー
２    作業機（エアーカッター）
３    駆動用圧縮空気配管
４    水配管
５    分岐管
６    水タンク
【図１】
2005319770.tif 000003
【図２】
2005319770.tif 000004
【図３】
2005319770.tif 000005
(57)【要約】【課題】  従来の張りカンバスは、画用布と木枠が釘や針で固定されたが、製作時には、釘を打つ金槌の音や針を打つガンタッカーの音が長時間続き、周辺の静かな生活環境を損なうことになった。また、釘と針は小さくて細く、釘抜きや針外しで引き抜くことが困難だったので、分解時の労力と時間の負担が大きく、画用布と木枠が釘抜きや針外しで破損する場合が多かった。したがって、画用布と木枠の再利用が滞ることにもなった。そこで、製作時の騒音を減らす一方、画用布と木枠を破損することなく簡単に分解でき、画用布と木枠が再利用品として活用される機会を増やし、かつ、廃棄物として処分される頻度を減らす張りカンバスを提供する。【解決手段】  画用布２と木枠３の固定を螺子８と螺子回し９、張り器具１で行なう。【選択図】  図１
2005319768.tif 000002
【特許請求の範囲】
【請求項１】
画用布と木枠を螺子で固定し、資源循環型社会の推進と環境負荷の低減を図った張りカンバス。
【発明の詳細な説明】
【技術分野】
【０００１】  本発明は、資源循環型社会の推進と環境負荷の低減を図った張りカンバスに関する。
【背景技術】
【０００２】  従来の張りカンバスは、金槌による釘打ち、あるいは、ガンタッカーによる針打ちで、画用布と木枠が固定されていた（例えば、非特許文献１及び非特許文献２参照。）。【０００３】  一方、絵が描かれた張りカンバスの釘や針を抜いて分解すれば、画用布も木枠も再利用が可能である。すなわち、絵が描かれた画用布を木枠から取り外した後、表裏を反転させて、木枠に再度張り直したり、あるいは、木枠に別の新しい画用布を張り直したりするという方法によってである。【０００４】  以下、図２、図３により従来の張りカンバスについて説明する。張り器具１で挟まれた画用布２の端が引っ張られた状態のまま、画用布と木枠３は、図２においては釘４と金槌５で固定され、図３においてはコの字型の針６とガンタッカー７で固定されていた。
【非特許文献１】「油彩画の技術」グザヴィエ・ド・ラングレ著、黒江光彦訳、美術出版社、１９８２年、ｐｐ．１３１〜１３４
【非特許文献２】「絵画技術全書」クルト・ヴェールテ著、佐藤一郎・戸川英夫・真鍋千絵共訳、美術出版社、１９９３年、ｐｐ．４３〜４４
【発明の開示】
【発明が解決しようとする課題】
【０００５】  以上に述べた従来の張りカンバスでは、木枠は細くて割れやすいので、小型の釘や細い針が使われていたが、釘抜きや針外しの先端が入らないほどに画用布と密着した状態で打たれていた。【０００６】  こうした状態で無理に釘抜きや針外しを使うと、画用布と木枠を破損するだけでなく、分解作業に要する労力と時間も増え、再利用が滞ることになった。また、１枚の張りカンバスを製作するだけで何十本もの釘や針が必要だったので、金槌を叩く音やガンタッカーを使う音が長時間続き、周辺の静かな生活環境を騒音という形で損なうことになった。
【課題を解決するための手段】
【０００７】  そこで、張りカンバスの製作を、金槌による釘打ちとガンタッカーによる針打ちではなく、螺子回しによる螺子止めで行なうことで、従来よりも少ない労力と時間で分解可能な構造、および、製作時に生じる騒音の軽減を実現し、結果として、資源循環型社会の推進と環境負荷の低減を図ったものである。
【発明の効果】
【０００８】  本発明による張りカンバスは、画用布の端を引っ張っても、螺子が抜けない構造でありながら、画用布と木枠を破損することなく、螺子回しを使って簡単に分解できる構造でもある。結果として、分解作業に要する労力と時間を従来よりも減らすという効果を発揮し、再利用が容易にできる構造となっている。また、金槌とガンタッカーを使わない製作工程は、製作時に生じる騒音を従来よりも減らすという効果を発揮し、周辺の静かな生活環境の維持を実現している。【０００９】  すなわち、従来よりも、画用布と木枠が再利用品として活用される機会を増やす一方、廃棄物として処分される頻度を減らし、なおかつ、製作時の騒音を減らすことで、資源循環型社会の推進と環境負荷の低減を図るという効果を発揮するものである。
【発明を実施するための最良の形態】
【００１０】  以下、図１により本発明の実施の形態を説明する。張り器具１で挟んだ画用布２の端を引っ張りながら、画用布と木枠３を螺子８と螺子回し９で固定する。
【図面の簡単な説明】
【００１１】
【図１】  本発明の実施の形態を示す張りカンバスの斜視図である。
【図２】  従来の釘打ち張りカンバスの斜視図である。
【図３】  従来の針打ち張りカンバスの斜視図である。
【符号の説明】
【００１２】    １  張り器具
２  画用布
３  木枠
４  釘
５  金槌
６  コの字型の針
７  ガンタッカー
８  螺子
９  螺子回し
【図１】
2005319768.tif 000003
【図２】
2005319768.tif 000004
【図３】
2005319768.tif 000005
(57)【要約】      （修正有）【課題】  索引毎に分割して作成した分冊を統合してつくる辞書を提供する。【解決手段】  国語辞書においてその内容を、あ行・か行・さ行・た行・な行・は行・ま行・や行・ら行・わん行の索引ごと分割して製本した分冊を作り、それらの分冊を統合することで本来の国語辞書の役割を持たせた、検索が容易で早く、取り扱いやすくした分冊統合型国語辞書。また、外国語辞書及び漢和辞書においても同様にして作製した分冊統合型辞書。【選択図】  図１
2005319767.tif 000002
【特許請求の範囲】
【請求項１】
国語辞書においてその内容を、あ行・か行・さ行・た行・な行・は行・ま行・や行・ら行・わん行の索引ごとに分割して製本した分冊を作り、それらの分冊を統合することで本来の国語辞書の役割を持たせた、検索が容易で早く、取り扱いやすくした分冊統合型国語辞書。
【請求項２】
英和（和英）辞書においてその内容を、アルファベット索引ごとに分割して製本した分冊をつくり、それらの分冊を統合することで本来の英和（和英）辞書の役割をもたせた、検索が容易で早く、取り扱いやすくした分冊統合型外国語辞書。
【請求項３】
漢和辞書においてその内容を、部首又は画数又は偏又は造り等の索引ごとに分割した分冊をつくり、それらの分冊を統合することで本来の漢和辞書の役割を持たせた、検索が容易で早く、取り扱いやすくした分冊統合型漢和辞書。
【発明の詳細な説明】
【技術分野】
【０００１】  本発明は、索引毎に分割して作成した分冊を統合してつくる辞書に関するものである。
【背景技術】
【０００２】  従来、全ての内容が連続一体として製本された辞書があった。
【発明の開示】
【発明が解決しようとする課題】
【０００３】  従来の辞書には次のような問題点があった。
（イ）一冊が分厚くなり重たくて取り扱いが不便であった。
（ロ）適当な大きさにする為に、使用する文字を小さくしなければならず、読みずらいものとなった。
（ハ）調べたい目的ヶ所を探すのに時間がかかった。
【課題を解決するための手段】
【０００４】  索引別（例えば、あ行・か行・さ行・た行・な行・は行・ま行・や行・ら行・わん行）に分冊にし、それらの分冊を統合したものを一組の辞書とした。
【発明の効果】
【０００５】  当発明の利用者は、先ず目的の索引の記載された分冊を抜き出すことで、第１段階の検索を終了する。このとき必要でない他の分冊は引きぬく必要がないので、軽量で取り扱い易くなり、第二段階以降の検索が容易になる。また、読み取りやすい程度に使用する文字を大きくしても、分冊された一冊はそれ程分厚くならないので、最適な条件で製本することができる。また、各分冊がばらばらに分散しないように、複数の分冊を統合する外枠を用いることで、収納及び取扱の便宜を提供することができる。
【発明を実施するための最良の形態】
【０００６】  以下、本発明の実施の形態について説明する。
（イ）索引毎に分割製本した分冊（１）を外枠（２）に統合収納して一組にした辞書（３）により構成される。
（ロ）利用者は目的に一致する索引（４）が印刷された分冊（１）を抽出する。
（ハ）分冊（１）を抽出する事で第１段階の検索は終了する。
（ニ）第二段階以降の検索は従来の方法により実行される。
（ホ）外枠（２）には両側面にベルト固定金物を取りつけ、ベルトを締めることで部各分冊と外枠を一体化させ、持ち運びが可能な構造としている。
【図面の簡単な説明】
【０００７】
【図１】  本発明の正面図（その１）
【図２】  本発明の正面図（その２）
【図３】  本発明での外枠と携帯用ベルトの概念図
【符合の説明】
【０００８】  １  分冊
２  外枠
３  分冊統合型辞書
４  索引
５  ベルト固定金具
６  ベルト
【図１】
2005319767.tif 000003
【図２】
2005319767.tif 000004
【図３】
2005319767.tif 000005
(57)【要約】【課題】  従来、エポキシ樹脂の中に吸水保水剤を入れて木に塗ることで木の防水層とし、この防水層に浸透してきた水を、エポキシ樹脂の中の吸水保水剤が受け止めるという木材の処理方法は既知であるが、このような方法では室内での使用成績は良いが、屋外、露天で使用した場合、吸水保水剤によって止まった水が直射日光の熱で温まり、膨張して木の防水層となるエポキシ樹脂層を剥がしてしまう欠点があった。【解決手段】  本発明の木材の処理方法は、木材の表面にマイナスイオンを発生する鉱石の粉末を混ぜたエポキシ樹脂を塗りエポキシ樹脂層を形成し、エポキシ樹脂の硬化前に上記エポキシ樹脂層の表面にセラミック粒を振りかけた後、その表面に更にマイナスイオンを発生する鉱石の粉末を混ぜたエポキシ樹脂を塗布し乾燥せしめることを特徴とする。【選択図】  図１
2005319742.tif 000002
【特許請求の範囲】
【請求項１】
木材の表面にマイナスイオンを発生する鉱石の粉末を混ぜたエポキシ樹脂を塗りエポキシ樹脂層を形成し、エポキシ樹脂の硬化前に上記エポキシ樹脂層の表面にセラミック粒を振りかけた後、その表面に更にマイナスイオンを発生する鉱石の粉末を混ぜたエポキシ樹脂を塗布し乾燥せしめることを特徴とする木材の処理方法。
【請求項２】
更にウレタン樹脂を塗布することを特徴とする請求項１記載の木材の処理方法。
【発明の詳細な説明】
【技術分野】
【０００１】
本発明は木材の処理方法、特に木材の表面に防水層を作り、また、汚れやかびの発生を防止するようにした木材の処理方法に関するものである。
【背景技術】
【０００２】
エポキシ樹脂の中に吸水保水剤を入れて木に塗ることで木の防水層とし、この防水層に浸透してきた水を、エポキシ樹脂の中の吸水保水剤が受け止めるという木材の処理方法は既知である。（特許文献１）。
【０００３】
【特許文献１】特開平１１−３００７０８号公報（図１）
【発明の開示】
【発明が解決しようとする課題】
【０００４】
然しながら、このような方法では室内での使用成績は良いが、屋外、露天で使用した場合、吸水保水剤によって止まった水が直射日光の熱で温まり、膨張して木の防水層となるエポキシ樹脂層を剥がしてしまう欠点があった。
【０００５】
また、吸水保水剤と同じ役目を果たすセラミック粒を、上記と同じ方法で使用した場合、やはり直射日光では剥がれてしまう欠点があった。
【０００６】
本発明は上記の欠点を除くようにしたものである。
【課題を解決するための手段】
【０００７】
本発明の木材の処理方法は、木材の表面にマイナスイオンを発生する鉱石の粉末を混ぜたエポキシ樹脂を塗りエポキシ樹脂層を形成し、エポキシ樹脂の硬化前に上記エポキシ樹脂層の表面にセラミック粒を振りかけた後、その表面に更にマイナスイオンを発生する鉱石の粉末を混ぜたエポキシ樹脂を塗布し乾燥せしめることを特徴とする。
【０００８】
また、本発明の木材の処理方法は、更にウレタン樹脂を塗布することを特徴とする。
【発明の効果】
【０００９】
本発明方法によれば、２つの樹脂層がセラミック粒によって形成されたザラザラ面によって互いに強く接着され水の浸透による剥離を完全に防ぐことができると共に、エポキシ樹脂層からはマイナスイオンが永久的に放出されこのマイナスイオンの作用により界面活性効果が発生し汚れやかびの発生が防止されるようになる。
【発明を実施するための最良の形態】
【００１０】
以下図面によって本発明の実施例を説明する。
【実施例１】
【００１１】
本発明においては図１に示すようにひのき等の木部１の表面にマイナスイオンを発生する例えばトルマリン（電気石）等の鉱石の粉末を混ぜたエポキシ樹脂をハケ塗りしてエポキシ樹脂層２を形成し、エポキシ樹脂の硬化前にエポキシ樹脂層２の上にセラミック粒３を振りかけた後、エポキシ樹脂を乾燥せしめ、次いでこの上に更に上記と同様マイナスイオンを発生する鉱石の粉末を混ぜたエポキシ樹脂を塗布してエポキシ樹脂層４を形成し、乾燥せしめる。
【００１２】
本発明の木材の処理方法は上記の通りであるから、樹脂層２と４がセラミック粒によって形成されたザラザラ面によって互いに強く接着され水の浸透による剥離を完全に防ぐことができる。
【００１３】
また、エポキシ樹脂層２と４からはマイナスイオンが永久的に放出されこのマイナスイオンの作用により界面活性効果が発生し汚れやかびの発生が防止されるようになる。
【実施例２】
【００１４】
なお、実施例１による木材の表面はエポキシ樹脂の艶により光るようになるため本発明の実施例２においては上記樹脂層４の上面に更にウレタン樹脂を塗布する。
【００１５】
本発明のこの実施例２によれば木材は艶消しとなり、その仕上がりが自然で美しくなる。
【産業上の利用可能性】
【００１６】
本発明方法により作成した木材を浴室や浴槽に使用すれば防水となり、また、汚れやかびの発生を防止でき極めて効果的である。
【図面の簡単な説明】
【００１７】
【図１】本発明の方法により処理した木材の断面図である。
【符号の説明】
【００１８】
１  木部
２  エポキシ樹脂層
３  セラミック粒
４  エポキシ樹脂層
【図１】
2005319742.tif 000003
(57)【要約】【課題】コンピュータを利用した暗記学習を行う際の効率的な学習方法とその装置を提供すること。【解決手段】学習者が設定した、定着期間・学習回数・正解率の３つの要素に基づき、大量の学習課題の出題を絞り込んで反復させることを特徴とする。【選択図】    図１
2005181947.tif 000002
【特許請求の範囲】
【請求項１】
学習者が設定した、定着期間・学習回数・正解率の３つの要素に基づき、学習問題の出題を絞り込んで反復させる学習方法及びその装置。
【発明の詳細な説明】
【発明の詳細な説明】
【技術分野】
【０００１】この発明は、コンピュータを利用した暗記学習を行う際の効率的な学習方法とその装置に関するものである。
【背景技術】
【０００２】従来、コンピュータを利用した反復学習は、同じ問題を画一的な条件で繰り返し何度も表示させ学習させるものであった。
【発明が解決しようとする課題】
【０００３】  そのため、次のような欠点があった。
（イ）  暗記済みの問題が繰り返し出題され、長時間の学習時間が必要になる。
（ロ）  暗記が完了するまでの条件に個人差があるにもかかわらず、画一的にしか出題できなかった。
本発明は、これらの欠点を解決するためになされたものである。
【課題を解決するための手段】
【０００４】学習者は、定着期間・学習回数・正解率の３つの要素を設定し学習する。反復学習が進むにつれ、その設定に基づいて、出題する問題が絞り込まれる。
本発明は、以上の構成からなるコンピュータ絞り込み反復学習方法及び学習装置である。
【発明を実施するための最良の形態】
【０００５】  以下、本発明の実施の形態について説明する。
（イ）  学習者は、これだけの期間記憶が保持されていれば覚えたとみなす定着の期間を日数で、最低限暗記するために必要と考える学習回数を数値で、そしてその正解率を数値で設定する。
（ロ）  学習者は、自分の学習時間に合わせて反復学習を行う。
（ハ）  学習内容は、学習履歴として学習開始日とともに、学習日毎に、また一間毎に、学習回数が記録される。
（ニ）  次回の学習時には学習開始時から前回までの学習履歴が、設定しておいた条件により比較され、該当するものが絞り込みされてから出題される。
【発明の効果】
【０００６】  設定する３つの条件により、効果的に絞り込まれた問題を反復学習できるために、完全に覚えたものを再度反復する無駄を省き、暗記学習に要する時間を大幅に短縮することができる。
短時間で学習者が暗記しにくい問題を数多く反復学習し、定着期間を経ることによりさらに絞り込まれる。
その結果、学習者が自分のペースで完全に記憶するための暗記学習が効率良く可能となる。
【図面の簡単な説明】
【図１】  本発明の流れ図である。
【図１】
2005181947.tif 000003
(57)【要約】  【課題】比較的簡単な装置を用いて、実環境と同じ状況下で金属材料を腐食試験できる装置を提供する。  【解決手段】本発明の腐食試験装置は、ボイラ用金属材料の腐食試験をするための装置であって、保管容器(2)内に試験対象の金属片(1)を保持するための手段(9)と、前記保管容器(1)内にボイラ水を充填する手段(4)と、前記保管容器(2)外部の雰囲気を無酸素状態に保つ手段(6,7,8)を備える。これにより、金属材料を装置内に固定し、密閉できる保管容器に実ボイラ水を充填し、金属材料試験片を浸漬した状態で保管容器内の実ボイラ水中の酸素濃度が、例えば０μｇ／リットルであることを確認した上で袋内に窒素ガスとともに封入することにより、実ボイラと同様の環境とすることが可能となる。【選択図】  図１
2005181080.tif 000002
【特許請求の範囲】
【請求項１】
ボイラ用金属材料の腐食試験をするための装置であって、
保管容器内に試験対象の金属片を保持するための手段と、
前記保管容器内にボイラ水を充填する手段と、
前記保管容器外部の雰囲気を無酸素状態に保つ手段を備えたことを特徴とする腐食試験装置。
【請求項２】
前記保管容器は、液体を充填するための流入口と、水質を確認するための排出口を具備した請求項１に記載の腐食試験装置。
【請求項３】
前記保管容器の雰囲気を無酸素状態に保つ手段が、非酸化性ガスを充填密封する手段と酸素濃度を測定する手段を具備した外袋又は外容器内に前記保管容器を封入する請求項１に記載の腐食試験装置。
【発明の詳細な説明】
【技術分野】
【０００１】
本発明は、ボイラ材料等の腐食試験装置に関するものである。
【背景技術】
【０００２】
一般にボイラ等に使用されている金属材料は酸素との接触により、金属材料が腐食することから、ボイラの停止中におけるボイラ保有水には、脱酸素剤の注入と大気との遮断を行っている。従来、金属材料の腐食確認のため、実ボイラ内に試験用金属片を取付け、腐食の確認を行っている。ボイラ休止中において、ボイラ金属材料に接触しているボイラ保有水水質により、ボイラ金属材料の腐食状態がどの様に変化するか確認できていない。一般に保有水中へのボイラ金属材料の溶出量、濃度により判断を行っている。ボイラ金属材料自体の腐食状態を確認することは、ボイラを開放する必要があり困難である。
【０００３】
この問題を解決するため、気密容器内で温度を調節して腐食試験を行う方法が提案されている（特許文献１）。
【特許文献１】特開２００１−１４７１９１号公報
【発明の開示】
【発明が解決しようとする課題】
【０００４】
しかし、前記従来の方法は、装置が大掛かりで簡単に試験することが困難であり、かつ外部から空気などが漏れ込むと正確な試験ができないという問題があった。その上、促進試験であり、実際の条件とは異なるため、正確な試験とはいえなかった。
【０００５】
本発明は、前記従来の問題を解決するため、比較的簡単な装置を用いて、実環境と同じ状況下で金属材料を腐食試験できる装置を提供する。
【課題を解決するための手段】
【０００６】
本発明の腐食試験装置は、ボイラ用金属材料の腐食試験をするための装置であって、保管容器内に試験対象の金属片を保持するための手段と、前記保管容器内にボイラ水を充填する手段と、前記保管容器外部の雰囲気を無酸素状態に保つ手段を備えたことを特徴とする。
【発明の効果】
【０００７】
本発明は、ボイラ用金属材料が実ボイラ保有水に浸漬され、実ボイラ保有水が大気と接触することを防止したので、実環境と同じ状況下で金属材料の腐食試験ができる。
【発明を実施するための最良の形態】
【０００８】
本発明において、金属材料を中空に固定、密閉できる保管容器に実ボイラ水を充填し、金属材料試験片を浸漬した状態で保管容器内の実ボイラ水中の酸素濃度が、例えば０μｇ／リットルであることを確認した上で袋内に窒素ガスとともに封入することにより、実ボイラと同様の環境とすることが可能となる。
【０００９】
本発明の試験に用いる金属材料に制限はないが、主に発電用ボイラ金属材料の腐食試験に有効であり、実ボイラ材料を試験片とし使用することが望ましい。
【００１０】
同一保管容器内に数種、数個の試験片を固定し腐食試験行うことも可能である。
【００１１】
保管容器中に充填する液体は、確認する実ボイラから採取したボイラ水が望ましいが、保管容器を溶解しない性状であれば用いることができる。ボイラの水は、例えば溶存酸素濃度０μｇ／ｌ、ヒドラジン濃度７ｍｇ／ｌ（腐食防止のため、低濃度でヒドラジンを注入している。）である。
【００１２】
以下、図面を用いて説明する。図１は本発明の一実施形態に係る腐食試験装置の概略構成図である。ボイラ金属材料試験片１は保管容器２の栓３の下に固定されている試験片支持体９に取り付ける。４は液体流入口および試料採取口、５は液体排出口および試料採取口、６は気体充填密封用袋、７は気体流入口および試料採取口、８は気体排出口および試料採取口である。保管容器２は試験片１を固定した状態で、液体を出し入れすることが可能であり、流入口４と排出口５を備える。もちろん試験片、液体を封入した後は気密性が保てる。なお、流入口および排出口のどちらからでも液体を採取することができる。気体を充填密封できる外袋６に試験片、ボイラ水を密封した保管容器を封入し、袋内空気を窒素ガス等、酸素以外の腐食性のない気体へ入れ替えることにより、保管容器周辺の酸素が保管用内に侵入するのを防止する。外袋６の換わりに、外容器を用いても良い。
【００１３】
試験装置と試験片のディメンジョンは、次のとおりであった。外袋は、容量５リットルのガス用サンプリングバック（250mm×400mm）を使用した。試験片は、実機より採取したボイラ金属材料７６φを縦に４分割したもの（61mm×19mm×1.6mm）を使用した。保管容器は、試験片が入る大きさのガラス容器（無色透明）にゴム栓を行い使用した。
【００１４】
試験条件は、温度は、特に制御せず、実験室室温（２０℃前後）とした。液体封入方法は、酸素濃度測定た時点で密封した。非腐食性気体は、窒素ガスを使用し、酸素濃度計にて外袋中の空気が窒素ガスに置換されたことを確認した。腐食状態の確認は、１ヶ月に１回の頻度で試験片の腐食量（mm／年）と液体中の金属濃度（ｍｇ／ｌ）、ヒドラジン濃度（ｍｇ／ｌ）測定および外観による観察を行った。試験期間は、腐食状態によって任意に変更できる。この結果、実環境と同じ状況下で金属材料の腐食試験ができることが確認できた。
【００１５】
また、上記条件における試験片の腐食量は実機取付試験片の１／１０程度であり、液体中の金属濃度やヒドラジン濃度および試験片外観から大きな腐食傾向は見られなかったため、ボイラ水水質を本試験条件に設定することによりボイラ金属材料の腐食を抑制することができた。
【図面の簡単な説明】
【００１６】
【図１】本発明の一実施形態に係る腐食試験装置の概略構成図
【符号の説明】
【００１７】
１  ボイラ金属材料試験片
２  保管容器
３  保管容器の栓
４  液体流入口および試料採取口
５  液体排出口および試料採取口
６  気体充填密封用外袋
７  気体流入口および試料採取口
８  気体排出口および試料採取口
９  試験片支持体
【図１】
2005181080.tif 000003